(57)【要約】【課題】シート状の被搬送体の整列を効率的に行うことができるとともに従来の画像書込直前における被搬送体の幅寄せ機構を省略でき装置の小型化に寄与できるシート状被搬送体のレジスト機構を提供する。かかるレジスト機構を備える画像形成装置を提供する。【解決手段】このレジスト機構は、多数枚のフィルムＦを積層し収納する載置台４と、載置台上のフィルムを搬送位置で１枚ずつ取り出して搬送経路へと搬送する搬送部と、載置台を搬送位置に持ち上げることでフィルムを一定位置に整列させる整列手段と、を備える。整列手段は載置台を持ち上げるときフィルムが一定位置側に寄るように一方側に傾けることでフィルムを一定位置に整列させる。【選択図】  図１
2004161416.tif 000002
【特許請求の範囲】
【請求項１】
多数枚のシート状の被搬送体を積層し収納する載置台と、
前記載置台上の被搬送体を搬送位置で１枚ずつ取り出して搬送経路へと搬送する搬送部と、
前記載置台を前記搬送位置に持ち上げることで前記被搬送体を一定位置に整列させる整列手段と、を備えることを特徴とするシート状被搬送体のレジスト機構。
【請求項２】
前記整列手段は前記載置台を持ち上げるとき前記被搬送体が前記一定位置側に寄るように一方側に傾けることを特徴とする請求項１に記載のシート状被搬送体のレジスト機構。
【請求項３】
前記整列手段は、前記載置台を前記一方側及び他方側に別々に持ち上げるように構成された持ち上げ手段を有することを特徴とする請求項１または２に記載のシート状被搬送体のレジスト機構。
【請求項４】
前記整列手段は、前記載置台をワイヤで吊して持ち上げるときに前記ワイヤを巻き取るタイミングをずらすように構成されたワイヤ持ち上げ手段を有することを特徴とする請求項１または２に記載のシート状被搬送体のレジスト機構。
【請求項５】
前記整列手段は、前記載置台を持ち上げる持ち上げ手段と、前記持ち上げられた載置台の被搬送体の一部に当接することで前記被搬送体を所定の方向に案内する案内傾斜面を有するガイド部材と、を有することを特徴とする請求項１乃至４のいずれか１項に記載のシート状被搬送体のレジスト機構。
【請求項６】
前記ガイド部材は少なくとも前記被搬送体を一定位置に整列させる側で前記被搬送体に当接することを特徴とする請求項５に記載のシート状被搬送体のレジスト機構。
【請求項７】
多数枚のシート状の被搬送体を遮光袋に包装した包装体を前記載置台に載置してから前記遮光袋を除去する除去部を更に備え、
前記除去部による遮光袋の除去後に非整列状態となった前記被搬送体が前記載置台に載置されてから前記整列手段による整列が行われることを特徴とする請求項１乃至６のいずれか１項に記載のシート状被搬送体のレジスト機構。
【請求項８】
請求項１乃至７のいずれか１項に記載のシート状被搬送体のレジスト機構と、前記レジスト機構により整列されて搬送された被搬送体に画像書き込みを行う露光部と、を備えることを特徴とする画像形成装置。
【発明の詳細な説明】
【０００１】
【発明の属する技術分野】
本発明は、フィルム等のシート状被搬送体を一定位置に揃えるように整列させるためのレジスト機構に関するものである。
【０００２】
【従来の技術】
従来、医用画像記録用フィルムは、紙及び樹脂等で構成されたフィルム受けに積載され、フィルムを自然光より守るためバリア袋に納められ、乳剤劣化を防止するため真空状態で収容されたフィルムパッケージとして供給される。そして、このフィルムパッケージをフィルム供給装置（マガジン）に装填し、暗箱の状態でバリア袋を巻き取るか、または引き抜くことで除去する。その後、ピックアップ位置までフィルムを上昇させフィルムピックアップが可能になる。
【０００３】
上記バリア袋の除去を容易にするため、マガジンとフィルム受けとの間にある程度の隙間を設けてあるが、その隙間の分だけバリア袋を除去したときにフィルムが引っ張られ、フィルムの搬送方向に直交する幅方向の位置が定まらなくなる。このため、画像書込部の手前でフィルムの幅寄せ機構を設け、フィルムを一定位置に揃えている。即ち、図８のように、フィルムＦがバリア袋の除去時に図の横方向Ｎに引っ張られてその側端Ｆ１の位置がずれたまま搬送方向Ｊに画像書込部へと搬送されると、幅寄せ機構の当て部材９０が搬送方向Ｊと直交する方向ＫにフィルムＦと当たりながら移動し所定位置で停止することで、当て部材９０の位置にフィルムＦの側端Ｆ１が揃う。これにより、破線で示すフィルムＦの位置でレーザ光により画像書き込みが行われる。
【０００４】
しかし、図８のような幅寄せ機構によれば、画像書込部の手前でフィルムに対して１枚ずつ位置決めを行わなければならず非効率的であり、また幅寄せ機構を設けるためのスペースが必要であるから装置の小型化の障害となってしまう。
【０００５】
【発明が解決しようとする課題】
本発明は、シート状の被搬送体の整列を効率的に行うことができるとともに従来の画像書込直前における被搬送体の幅寄せ機構を省略でき装置の小型化に寄与できるシート状被搬送体のレジスト機構を提供することを目的とする。また、かかるレジスト機構を備える画像形成装置を提供することを目的とする。
【０００６】
【課題を解決するための手段】
上記目的を達成するために、シート状被搬送体のレジスト機構は、多数枚のシート状の被搬送体を積層し収納する載置台と、前記載置台上の被搬送体を搬送位置で１枚ずつ取り出して搬送経路へと搬送する搬送部と、前記載置台を前記搬送位置に持ち上げることで前記被搬送体を一定位置に整列させる整列手段と、を備えることを特徴とする。
【０００７】
このシート状被搬送体のレジスト機構によれば、載置台を搬送位置へと持ち上げることで被搬送体を整列させてから被搬送体を搬送するので、シート状の被搬送体の整列を効率的に行うことができるとともに、画像形成装置等において従来の画像書込直前における被搬送体の幅寄せ機構を省略でき、装置の小型化に寄与できる。
【０００８】
この場合、前記整列手段は前記載置台を持ち上げるとき前記被搬送体が前記一定位置側に寄るように一方側に傾けることで、前記被搬送体を一定位置に整列させることができる。
【０００９】
また、前記整列手段は前記載置台を前記一方側及び他方側に別々に持ち上げるように構成された持ち上げ手段を有することが好ましい。この持ち上げ手段により、載置台を搬送位置まで持ち上げる過程において載置台の一方側と他方側とで持ち上げのタイミングをずらすことで被搬送体を整列させるように傾けることができる。
【００１０】
また、前記整列手段は前記載置台をワイヤで吊して持ち上げるときに前記ワイヤを巻き取るタイミングをずらすように構成されたワイヤ持ち上げ手段を有するように構成してもよい。このワイヤ持ち上げ手段により、載置台を搬送位置まで持ち上げる過程において載置台の一方側と他方側とで持ち上げのタイミングをずらすように持ち上げることができるので、載置台を整列させるように傾けることができる。
【００１１】
なお、ワイヤ巻き上げ手段は、ワイヤを巻き上げる巻上げプーリと、巻上げプーリに回転駆動手段の回転を伝達するギヤ列と、を備え、巻上げプーリの径または左右のギヤ列の減速比を変えることで動作タイミングをずらすことができる。
【００１２】
また、前記整列手段は、前記載置台を持ち上げる持ち上げ手段と、前記持ち上げられた載置台の被搬送体の一部に当接することで前記被搬送体を所定の方向に案内する案内傾斜面を有するガイド部材と、を有するように構成してもよい。載置台を持ち上げ手段で持ち上げ、被搬送体の一部をガイド部材に当てることで案内し、被搬送体を一定位置に整列させることができる。この場合、前記ガイド部材は少なくとも前記被搬送体を一定位置に整列させる側で前記被搬送体に当接するように構成される。
【００１３】
また、多数枚のシート状の被搬送体を遮光袋に包装した包装体を前記載置台に載置してから前記遮光袋を除去する除去部を更に備え、前記除去部による遮光袋の除去後に非整列状態となった前記被搬送体が前記載置台に載置されてから前記整列手段による整列が行われるように構成されることが好ましい。遮光袋を除去部により除去したことで載置台上の被搬送体がずれて非整列状態となっても、その後に整列手段により整列させるので、除去部による被搬送体の位置ずれを補正できる。
【００１４】
本発明による画像形成装置は、上述のシート状被搬送体のレジスト機構と、前記レジスト機構により整列されて搬送された被搬送体に画像書き込みを行う露光部と、を備えることを特徴とする。
【００１５】
この画像形成装置によれば、上述のレジスト機構により被搬送体を整列してから被搬送体に露光し画像書き込みを行うことができるので、露光部直前における被搬送体の幅寄せ機構を省略でき、装置を小型化できる。
【００１６】
【発明の実施の形態】
以下、本発明による第１乃至第３の実施の形態について図面を用いて説明する。
【００１７】
〈第１の実施の形態〉
【００１８】
図１は第１の実施の形態に係るシート状被搬送体のレジスト機構を含む収納部を示す図であって、収納部をシート状被搬送体の幅方向で破断し、整列前の状態を示す断面図（ａ）、及び整列後の状態を示す断面図（ｂ）である。図２は図１の収納部に設けられる搬送部を概略的に示す側面図であり、図３は図１の収納部に設けられるバリア袋の除去部を概略的に示す側断面図であり、図４は図１の載置台に装填されるフィルムパーケージの一部破断斜視図である。
【００１９】
図１（ａ）、（ｂ）に示すように、収納部１は、シート状の被搬送体である熱現像感光フィルム（以下、単に「フィルム」という。）Ｆを載置する載置台４と、載置台４を内部に含むように載置台４の周囲に設けられる収納トレイ５と、を備える。載置台４は、平板状の部材から構成され、中央に押上げ板１１の収容スペースとなる段差凹部７を有する。
【００２０】
収納部１は、例えば画像形成装置に対し全体が押し込み及び引き出しが可能に構成されており、装置本体へ押し込まれたときに外部からの光が遮断され搬送可能位置でフィルム搬送が可能になり、また、装置本体から引き出されたときに装填可能位置でフィルムパッケージＰの装填が可能となっている。なお、収納部１は、押し込まれて搬送可能位置で画像形成装置の露光部を含む画像形成部への搬送経路に接続するように載置台４を収容する。
【００２１】
図１の収納部１の紙面垂直方向にはフィルムを外部に搬送するためのローラフィード式の搬送部３が設けられている。図２のように、搬送部３は、載置台４に積層状態で載置されたフィルムＦの表面ＢＣに所定の押付力Ｐ１１で当接した搬送ローラ９１が回転方向ｒに回転することで最上位のフィルムＦをニップローラ対９２，９３側に送り出し、両ローラ９２，９３間にフィルムＦを挟持した状態で従動ローラ９３側から駆動ローラ９２側にニップ力Ｐ１２を加えながら駆動ローラ９２が搬送ローラ９１と同期して回転方向ｒ’に回転することで搬送方向Ｊに搬送する。なお、図２のフィルムＦの搬送方向Ｊは図１の紙面垂直方向である。
【００２２】
また、上述のようなフィルム搬送時に最上位のフィルムＦとともにその下の１、２枚のフィルムも搬送ローラ９１により送り出されてニップローラ対９２，９３で搬送されることがあるので、駆動ローラ９２をトルクリミッタ付きの逆転可能なローラから構成している。ニップローラ対９２，９３間に複数枚のフィルムＦが挟まれると、駆動ローラ９２とフィルムＦとの摩擦係数よりもフィルムＦ同士の摩擦係数が低いので、駆動ローラ９２からのトルクが従動ローラ９３側に伝達されずにトルクリミッタが検知し、駆動ローラ９２及びこれと同期していた搬送ローラ９１が逆回転になり、余分に搬送されたフィルムＦを元に戻すようになっている。
【００２３】
収納部１に装填可能なフィルムパッケージＰは、図４に示すように、例えば半切りサイズのフィルムＦを１２５枚程度の多数枚の束として位置決め手段である位置決め部材Ｄ上に集積し位置決めした状態で遮光手段であるバリア袋Ｂ内に光密に収容している。バリア袋Ｂの側端部にはバリア袋除去装置における係合爪２６（図３）と係合する複数の係合孔ａが形成されている。
【００２４】
図１の収納部１の側方にはバリア袋除去部６が設けられている。図３に示すように、バリア袋除去部６は、図４のフィルムパッケージＰを図１の収納部１の載置台４に装填し、ガイドローラ対１１の一方が図３の２点鎖線のように上方に移動した状態でフィルムパッケージＰの側端の複数の係合孔ａを係合爪２６に係合させてから、ガイドローラ対１１でフィルムパッケージＰの側端面を挟み、係合爪２６を周囲に設けた駆動ローラ３０が回転方向ｃに回転駆動されてバリア袋Ｂを駆動ローラ３０の周囲に巻き取ることでバリア袋Ｂを除去し、位置決め部材Ｄに位置決めされた積層状態のフィルムＦを収納部１内に露出させる。なお、このバリア袋Ｂの除去前にバリア袋Ｂの他方の側端面ｂを巻き取り易いようにカットしておく。
【００２５】
図１（ａ）に示すように、収納部１は、載置台４の段差凹部７内に収まるように設けられた押上げ板１１と、押上げ板１１を上昇させるために図の左右に設けられた押上げ部材１４，１５と、押上げ部材１４，１５をそれぞれ別々に駆動する駆動手段としてのモータＭ１，Ｍ２と、を備え、載置台上に積層されたフィルムＦを一定位置に整列させるレジスト機構を構成している。
【００２６】
押上げ板１１は、フィルムＦを直接下方から支承する矩形平板状の部材で、非動作時に段差凹部７内でフィルムを支承するように収まり、動作時に押上げ部材１４，１５により段差凹部７から上方に移動し、載置台４上のフィルムＦを図２の搬送部３の搬送位置に持ち上げる。即ち、図２のように、最上位のフィルムＦが搬送部３の搬送ローラ９１に当接し搬送可能になる。
【００２７】
押上げ部材１４，１５は、フィルムＦの搬送方向と直交するフィルムＦの幅方向の左右に設けられ、モータＭ１，Ｍ２により個別に動作し、押上げ板１１を上方に持ち上げる。このとき、図１（ｂ）のように、押上げ部材１５を作動させずにモータＭ１で押上げ部材１４を上方に移動させ、押上げ板１１を傾けて上方に持ち上げることで載置台４上に積層したフィルムＦを傾けることができ、フィルムＦの側端を整列させるようになっている。
【００２８】
次に、収納部１にフィルムＦを収納し、レジスト機構により整列させる動作について説明する。
【００２９】
まず、図１の収納部１が装置本体の外部に引き出された装填可能位置で載置台４に図４のフィルムパッケージＰを装填する。そして、図３のようにフィルムパッケージＰの係合孔ａをバリア袋除去部６の係合爪２６に係合させる。そして、収納トレイ５を遮光板（図示省略）で閉塞し遮光状態とし、フィルムパッケージＰの手前側の側端面ｂをカットしてから、収納部１を装置本体内の搬送位置に移動させる。
【００３０】
次に、収納部１が搬送位置まで移動してから、図３のバリア袋除去部６の駆動ローラ３０が回転方向ｃに回転しバリア袋Ｂをその周囲に巻き取って除去することで、積層された多数枚の内の最上位のフィルムＦが装置本体内の収納部１で露出状態となる。
【００３１】
この除去のとき、バリア袋Ｂに内包されていたフィルムＦや位置決め部材Ｄも一緒に引っ張られて多少移動するため、バリア袋Ｂの除去後のフィルムＦは図１（ａ）に示すようにその側端が非整列状態になってしまい易い。この非整列状態においてモータＭ１を駆動すると、押上げ部材１５は元の位置のまま押上げ部材１４が上方に移動することで、押上げ板１１を図１（ｂ）に示すように、フィルムＦの幅方向で図の左方側に傾斜させて持ち上げる。これにより、押上げ板１１で支承されているフィルムＦが押上げ板１１とともに図の左方側に傾き、収納トレイ５の側壁９に当接することでフィルムＦの側端が一定位置に整列する。
【００３２】
この後、もう一方のモータＭ２を駆動し、押上げ部材１５を上方に移動させると、押上げ板１１は再び水平状態となり、載置台３上のフィルムＦも水平位置に戻るとともに、最上位のフィルムＦが図２のように搬送位置で搬送部３の搬送ローラ９１に当接し搬送可能となる。そして、搬送ローラ９１及びニップローラ対９２，９３を駆動し、最上位のフィルムＦをその下のフィルムから分離して搬送方向Ｊに搬送する。
【００３３】
上述のようにして、画像形成装置の露光部を含む画像形成部への搬送経路に向けて１枚ずつフィルムＦを給送できるが、このとき、フィルムＦはその側端Ｆ１（図８）が整列されているから露光部の直前において図８のような幅寄せ機構はもはや必要ではなく省略でき、その幅寄せ機構を配置するスペースが要らないので、その分だけ装置の小型化に寄与できる。また、収納部１で、積層したフィルムをまとめて整列させるので、従来のように、各フィルムを画像形成のために搬送するとき露光部直前で整列させる必要がないので、効率的にフィルムを搬送することができる。
【００３４】
また、載置台４に図４のフィルムパッケージを装填し図３の除去部６でバリア袋Ｂを除去してから、載置台４上のフィルムを図２の搬送部３の搬送位置へと持ち上げる過程でフィルムの持ち上げタイミングをその左右でずらすことだけでフィルムを整列させることができるので、フィルムの整列を効率的に行うことができる。
【００３５】
なお、載置台４上に積層されたフィルムＦは収納トレイ５の側壁９との間にバリア袋除去部６によるバリア袋Ｂの除去を容易にするために隙間Ｓが形成されており、この隙間Ｓはバリア袋Ｂの除去のときに狭くなるが、この狭くなった隙間Ｓの方向にフィルムＦを傾斜させることが、フィルムＦの移動量が少なくなるので好ましい。
【００３６】
また、押上げ板１１を傾斜させる機構は、押上げ部材１４，１５をモータＭ１、Ｍ２で回動させることで持ち上げる回動アーム構造にしてよく、また、カム機構を使用してもよい。
【００３７】
〈第２の実施の形態〉
【００３８】
図５は第２の実施の形態に係るシート状被搬送体のレジスト機構を含む収納部を示す図であって、収納部をシート状被搬送体の幅方向で破断し、整列前の状態を示す断面図（ａ）、及び整列後の状態を示す断面図（ｂ）である。
【００３９】
図５の収納部１は、押し上げ板１１を省略し、載置台全体をワイヤにより持ち上げるようにした以外は、図１と同様の構成であるので、共通の構成部分の説明は省略する。なお、図５では図１の除去部６の図示を省略している。
【００４０】
図５（ａ）に示すように、収納部１は、載置台４を上昇させるためのワイヤ１６と、ワイヤ１６を駆動する単一のモータＭと、ワイヤ１６の巻上げプーリ１７Ｒ、１７Ｌと、モータＭからのトルクを巻き上げプーリ１７Ｒ、１７Ｌに伝達するギヤ列１８Ｒ、１８Ｌと、を備え、載置台４上に積層されたフィルムＦを一定位置に整列させるレジスト機構を構成している。
【００４１】
載置台４を持ち上げるためのワイヤ１６の巻上げプーリ１７Ｒ、ギヤ列１８Ｒと、巻上げプーリ１７Ｌ、ギヤ列１８Ｌとは、それぞれ収納部１のフィルムＦの方向の左右に設けられ、単一のモータＭによる駆動を受けてタイミングをずらせてワイヤ１６を駆動するようになっている。
【００４２】
ワイヤ１６は、載置台４の端部に連結され、巻上げプーリ１７Ｒ、巻上げプーリ１７Ｌに巻き取られることで、載置台４を上方に移動させ、また巻上げプーリ１７Ｒ、１７Ｌから巻き戻されることで、載置台４を下方に移動させるようになっている。
【００４３】
巻上げプーリ１７Ｒ、１７Ｌは、ギヤ列１８Ｒ、１８Ｌを介してモータＭからトルクを伝達されるが、減速比が異なるように設定され、例えば巻上げプーリ１７Ｒの外径を大きめに設定し、巻上げプーリ１７Ｒが高速にワイヤ１６を巻き上げるようになっている。また、巻上げプーリ１７Ｒ、ギヤ列１８Ｒの機構側にトルクリミッタを設け、巻上げプーリ１７Ｒで押し上げ板１１を図５（ｂ）のように上方まで移動させたときは空転するようになっている。また、巻上げプーリ１７Ｌの外径が小さめに設定されるので、巻上げプーリ１７Ｌは低速にワイヤ１６を巻き上げる。
【００４４】
次に、図５のレジスト機構によりフィルムＦを整列させる動作について説明する。
【００４５】
図１、図３と同様に、図４のフィルムパッケージＰを載置台４に装填してから、図３の駆動ローラ３０がバリア袋Ｂをその周囲に巻き取って除去するが、この除去のとき、バリア袋Ｂに内包されていたフィルムＦや位置決め部材Ｄも一緒に引っ張られて多少移動するため、バリア袋Ｂの除去後のフィルムＦは図５（ａ）のようにその側端が非整列状態になる。そして、モータＭを駆動すると、ギヤ列１８Ｒ、１８Ｌを介して巻上げプーリ１７Ｒ、１７Ｌが回転することでワイヤ１６を巻き上げるが、このとき、巻上げプーリ１７Ｒの方が他方の巻上げプーリ１７Ｌよりも高速にワイヤ１６を巻き上げるので、載置台４を図５（ｂ）のように、フィルムＦの幅方向で図の左方を下側に傾斜させて持ち上げる。これにより、図１（ｂ）と同様にして、載置台４上のフィルムＦが図の左方側に傾き、収納トレイ５の側壁９に当接することでフィルムＦの側端が一定位置に整列する。
【００４６】
この後、他方の巻上げプーリ１７Ｌも遅れてワイヤ１６を巻き上げることで、載置台４が再び水平状態となり、載置台４上のフィルムＦが水平位置に戻るとともに、最上位のフィルムＦが図２のように搬送位置で搬送部３の搬送ローラ９１に当接し搬送可能となる。そして、搬送ローラ９１及びニップローラ対９２，９３を駆動し、最上位のフィルムＦをその下のフィルムから分離して搬送方向Ｊに搬送する。これにより、画像形成装置において露光部を含む画像形成部への搬送経路に向けてに向けて１枚ずつフィルムＦを給送することができる。
【００４７】
以上のようにして、図５の構成により、図１と同様に効果を得ることができる。なお、図５の構成では、左右のワイヤ巻き上げ機構の巻き上げプーリ１７Ｌ、１７Ｒの外径を変えて押上げ板１１の左右の持ち上げ速度を変えることで載置台４を傾けるようにしたが、これに限定されずに、例えば、ギア列１８Ｒ、１８Ｌのギア比を変えるようにしてもよい。
【００４８】
〈第３の実施の形態〉
【００４９】
図６は第３の実施の形態に係るシート状被搬送体のレジスト機構を含む収納部を示す図であって、収納部をシート状被搬送体の幅方向で破断し、整列前の状態を示す断面図（ａ）、及び整列後の状態を示す断面図（ｂ）である。
【００５０】
図６の収納部１は載置台を搬送位置へと持ち上げたときに上部に設けたガイド部材によりフィルムを整列させるようにした以外は、図１と同様の構成であるので、共通の構成部分の説明は省略する。
【００５１】
図６の収納部１の収納トレイ５の上方に収納トレイ５の開口を閉塞する天板３４を配置し、天板３４の左右両端付近から下方に向けてガイド部材３３を設けている。ガイド部材３３は、その下端部が載置台４に向けて拡がるように外側に屈曲されており、その内側の壁面がフィルムＦの側端に当接する案内傾斜面３５となっている。また、押上げ部材１４，１５は単一のモータＭで駆動され、押上げ板１１は同時に左右水平に持ち上げられる。
【００５２】
図６では、案内傾斜面３５を有するガイド部材３３と、単一のモータＭで駆動されて載置台４を持ち上げる押上げ部材１４，１５とによりレジスト機構を構成している。
【００５３】
次に、図６のレジスト機構によりフィルムＦを整列させる動作について説明する。
【００５４】
図１、図３と同様に、図４のフィルムパッケージＰを載置台４に装填してから、図３の駆動ローラ３０がバリア袋Ｂをその周囲に巻き取って除去するが、この除去のとき、バリア袋Ｂに内包されていたフィルムＦや位置決め部材Ｄも一緒に引っ張られて多少移動するため、バリア袋Ｂの除去後のフィルムＦは図６（ａ）のようにその側端が非整列状態になる。そして、モータＭを駆動すると、押し上げ部材１４，１５が押上げ板１１を図６（ｂ）のように、上方に水平に持ち上げるが、このとき、フィルムＦの側端が天板３４の下方に設けられたガイド部材３３の案内傾斜面３５に当接して案内されながらフィルムＦの側端が一定位置に整列する。
【００５５】
そして、最上位のフィルムＦが図２のように搬送位置で搬送部３の搬送ローラ９１に当接し搬送可能となり、搬送ローラ９１及びニップローラ対９２，９３を駆動し、最上位のフィルムＦをその下のフィルムから分離して搬送方向Ｊに搬送する。これにより、画像形成装置において露光部を含む画像形成部への搬送経路に向けてに向けて１枚ずつフィルムＦを給送することができる。
【００５６】
以上のようにして、図６の構成により、図１と同様に効果を得ることができる。なお、図６の構成では、図１または図５の構成と組み合わせ、フィルムを搬送位置へと持ち上げる途中で傾斜させるようにしてもよい。
【００５７】
また、図７のように、天板３４に設けるガイド部材３３をフィルムの両側端の一方側のみに設けてもよい。図７は、第３の実施の形態の変形例のレジスト機構を含む収納部を示す図であって、収納部をシート状被搬送体の幅方向で破断し、整列前の状態を示す断面図（ａ）、及び整列後の状態を示す断面図（ｂ）である。
【００５８】
図７（ａ）では、天板３４から下方にフィルムの一側端側のみにガイド部材３３を設け、ガイド部材３３は、その下端部が載置台４に向けて拡がるように外側に屈曲されており、その内側の壁面がフィルムＦに対し凹状に湾曲しておりフィルムＦの側端に当接する案内傾斜曲面３６となっている。
【００５９】
モータＭを駆動すると、押し上げ部材１４，１５が押上げ板１１を図７（ｂ）のように上方に水平に持ち上げ、フィルムＦの一側端が天板３４の下方に設けられたガイド部材３３の案内傾斜曲面３６に当接して案内されながらフィルムＦの側端が一定位置に整列する。
【００６０】
以上のように本発明を第１〜第３の実施の形態により説明したが、本発明はこれに限定されるものではなく、本発明の技術的思想の範囲内で更に各種の変形が可能である。例えば、図１、図６，図７では、図５と同様に、載置台４全体を持ち上げるようにしてもよいことは勿論である。
【００６１】
また、本発明によるレジスト機構は、例えば熱現像感光フィルムをフィルムパッケージの状態で装填してから搬送しその熱現像感光フィルムに画像を形成する熱現像画像形成装置に適用できるが、他のフィルムや記録媒体に画像形成を行う画像形成装置に適用できることは勿論である。例えば、シート状の被搬送体としては、熱現像感光フィルムに限らず、湿式現像感光フィルムや他の感光フィルム、印刷媒体である紙やＯＨＰ、あるいは樹脂系のその他のシート状フィルム、更にはカーボン紙やトレーシングペーパー等の特殊な用紙、印画紙やインクジェットプリンタ専用紙のように表面に加工が施された用紙等であってもよい。
【００６２】
【発明の効果】
本発明のシート状被搬送体のレジスト機構によれば、シート状の被搬送体の整列を効率的に行うことができるとともに従来の画像書込直前における被搬送体の幅寄せ機構を省略でき装置の小型化に寄与できる。
【００６３】
また、かかるレジスト機構を備える画像形成装置によれば、シート状の被搬送体の整列を効率的に行うことができるとともに従来の画像書込直前における被搬送体の幅寄せ機構を省略できるので、装置を小型化できる。
【図面の簡単な説明】
【図１】第１の実施の形態に係るシート状被搬送体のレジスト機構を含む収納部を示す図であって、収納部をシート状被搬送体の幅方向で破断し、整列前の状態を示す断面図（ａ）、及び整列後の状態を示す断面図（ｂ）である。
【図２】図１の収納部に設けられる搬送部を概略的に示す側面図である。
【図３】図１の収納部に設けられるバリア袋の除去部を概略的に示す側断面図である。
【図４】図１の載置台に装填されるフィルムパーケージの一部破断斜視図である。
【図５】第２の実施の形態に係るシート状被搬送体のレジスト機構を含む収納部を示す図であって、収納部をシート状被搬送体の幅方向で破断し、整列前の状態を示す断面図（ａ）、及び整列後の状態を示す断面図（ｂ）である。
【図６】第３の実施の形態に係るシート状被搬送体のレジスト機構を含む収納部を示す図であって、収納部をシート状被搬送体の幅方向で破断し、整列前の状態を示す断面図（ａ）、及び整列後の状態を示す断面図（ｂ）である。
【図７】図６の変形例のレジスト機構を含む収納部を示す図であって、収納部をシート状被搬送体の幅方向で破断し、整列前の状態を示す断面図（ａ）、及び整列後の状態を示す断面図（ｂ）である。
【図８】従来の画像形成装置の画像書き込み部の直前に設けられたフィルム幅寄せ機構を説明するための図である。
【符号の説明】
１・・・収納台
３・・・搬送部
４・・・載置台
５・・・収納トレイ
６・・・除去部
９・・・側壁
１１・・・押上げ板
１４，１５・・・押上げ部材
１６・・・ワイヤ
１７Ｌ、１７Ｒ・・・巻き上げプーリ
１８Ｌ、１８Ｒ・・・ギア列
３３・・・ガイド部材
３５・・・案内傾斜面
３６・・・案内傾斜曲面
Ｆ・・・フィルム（シート状被搬送体）
Ｍ，Ｍ１，Ｍ２・・・モータ（駆動手段）
【図１】
2004161416.tif 000003
【図２】
2004161416.tif 000004
【図３】
2004161416.tif 000005
【図４】
2004161416.tif 000006
【図５】
2004161416.tif 000007
【図６】
2004161416.tif 000008
【図７】
2004161416.tif 000009
【図８】
2004161416.tif 000010